(57)【要約】【課題】  沈胴式レンズ鏡筒を有するデジタルカメラにおいて、レンズキャップ装着時にレンズ鏡筒を繰り出したときに、レンズ鏡筒に負荷かかからず、また、カメラ不使用には確実にレンズ鏡筒を保護するレンズキャップを搭載したデジタルカメラを提供する。【解決手段】  非撮影時の沈胴位置から撮影時の撮影位置まで繰り出される撮影レンズ鏡筒（１１）と、レンズ鏡筒が沈胴位置にあるときに上記レンズ鏡筒が収納される鏡筒収納部（９）を具備する撮像装置であって、  レンズ鏡筒を保護するためのレンズキャップ（８）は上記レンズ鏡筒に光軸方向に移動可能に保持されている。【選択図】  図２
2009282392.tif 000002
【特許請求の範囲】
【請求項１】
非撮影時の沈胴位置から撮影時の撮影位置まで繰り出される撮影レンズ鏡筒（１１）と、レンズ鏡筒が沈胴位置にあるときに上記レンズ鏡筒が収納される鏡筒収納部（９）を具備する撮像装置であって、
レンズ鏡筒を保護するためのレンズキャップ（８）は上記レンズ鏡筒に光軸方向に移動可能に保持されていることを特徴とする撮像装置。
【請求項２】
非撮影時の沈胴位置から撮影時の撮影位置まで繰り出される撮影レンズ鏡筒（１１）と、レンズ鏡筒が沈胴位置にあるときに上記レンズ鏡筒が収納される鏡筒収納部（９）と、上記レンズ鏡筒の先端に装着されるレンズキャップ（８）を有する撮像装置であって、上記レンズ鏡筒が沈胴位置の状態では光軸方向において鏡筒収納部の先端とレンズキャップが当接するように構成されたことを特徴とする撮像装置。
【請求項３】
レンズ鏡筒先端部に装着されたレンズキャップは、上記レンズ鏡筒が沈胴位置の状態では鏡筒収納部の先端と当接するためのつば形状（１０）を具備していることを特徴とする請求項１又は請求項２に記載の撮像装置。
【請求項４】
上記レンズキャップはレンズ鏡筒光軸中心方向に向かって付勢する付勢手段（１２）を具備していることを特徴とする請求項１〜請求項３のいずれかに記載の撮像装置。
【請求項５】
レンズ鏡筒先端部に装着されたレンズキャップは、上記レンズ鏡筒が沈胴位置の状態では鏡筒収納部の先端とレンズキャップのつば形状が当接し、レンズ繰り出し位置の状態では光軸方向のカメラ本体側に上記レンズキャップがレンズ鏡筒面とレンズキャップの光軸に垂直な面とが当接するまで、移動可能とするように構成されたことを特徴とする請求項１〜請求項４のいずれかに記載の撮像装置。
【発明の詳細な説明】
【技術分野】
【０００１】
本発明は、非撮影時の沈胴位置から撮影時の撮影位置まで繰り出される撮影レンズ鏡筒が沈胴位置状態でレンズ鏡筒先端部に装着され、レンズ鏡筒を保護するレンズキャップ、及びレンズキャップを用いた撮像装置に関する。
【背景技術】
【０００２】
近年、カメラ非撮影時にはレンズ鏡筒を沈胴位置状態でカメラ内部もしくはレンズ鏡筒収納部に収納し、カメラ撮影時にカメラ内部から繰り出す沈胴レンズを具備したデジタルカメラが広く利用されている。特に高倍率ズームを搭載しているカメラにおいては、レンズ鏡筒が使用時には非使用時よりもレンズ鏡筒が大きく繰り出し、さらにレンズ鏡筒径自体も大きくなっているため、レンズを保護するための、低倍率ズームカメラのようなレンズバリアをレンズ鏡筒内部に装備することはレンズ鏡筒自体を巨大化し、また機構も複雑になり、レンズ、およびレンズ鏡筒を外力から保護するために別途レンズキャップは必須となっている。
【０００３】
従来のレンズキャップはレンズ鏡筒を収納する収納部に取り付けたものがある。これらのレンズキャップはレンズキャップ係合部とレンズ鏡筒収納部の係合部とが係合しているが、係合部がレンズ鏡筒収納部の側面外側にある場合、常にレンズ光軸方向に向かってレンズキャップとばねや弾性部材で構成された別部材で付勢され固定されている状態である。また、係合部がレンズ鏡筒収納部の側面内側にある場合、レンズ光軸とは逆方向に向かって付勢されて固定されている。前記レンズキャップを外す場合は別部材を付勢方向とは逆方向に押し込み、係合を解除して取り外す。
【０００４】
上記の例として、下記特許文献１と特許文献２をあげることが出来る。
【特許文献１】特開2000-235213号公報
【特許文献２】特開２００５−３１４９５号公報
【発明の開示】
【発明が解決しようとする課題】
【０００５】
しかし、レンズ鏡筒をカメラ非撮影時にはレンズ鏡筒を沈胴位置状態でカメラ内部もしくはレンズ鏡筒収納部に収納し、カメラ撮影時にカメラ内部から繰り出す沈胴レンズを具備したデジタルカメラのレンズキャップでは、撮影時にレンズキャップを取り外すことを忘れた場合、レンズ鏡筒収納部から繰り出されたレンズ鏡筒がレンズキャップに当たってしまう。特に前記レンズキャップは係合部では、ばねや弾性部材で常にレンズ鏡筒収納部に付勢され、確実に固定されているため、係合部には強い負荷がかり、係合部が破損したり、レンズ鏡筒時に使用する歯車などが破損し、カメラ自体が使用不能になる可能性がある。
【０００６】
そこで、レンズキャップとレンズ鏡筒収納部の係合部を別弾性部材で構成し、レンズキャップ本体から別に突起部を出し、レンズキャップが係合している状態でレンズ鏡筒が繰り出された場合、レンズ鏡筒先端部が前期突起部に最初に当接し、押圧することにより、レンズキャップ本体が変形し、係合部が外れてレンズキャップが外れる構成のものがある。（特許文献１参照）
しかし、レンズキャップ装着状態で簡単に外れることを防止するために、レンズキャップの装着時の係合力を強くした場合、前述した問題と同様に、係合部には強い負荷がかり、係合部が破損したり、レンズ鏡筒の繰り出し時に繰り出すための動力を伝達する際に使用する歯車などが破損し、カメラ自体が使用不能になる可能性がある。
【０００７】
また、レンズキャップがレンズ鏡筒収納部の係合し、係合部を外す操作部材からガイド部を設け、レンズキャップが係合している状態でレンズ鏡筒が繰り出された場合、レンズ鏡筒先端部がガイド部に当接することで、操作部材の係合部を係合を外す方向に移動させて、レンズキャップをレンズ鏡筒収納部から外す構成のものがある。（特許文献２参照）
しかし、レンズ鏡筒を構成する部品にはばらつきがあり、また組み込み精度にもばらつきがあるため、レンズ鏡筒が繰り出された場合に、操作部材のガイド部から少しでもレンズ鏡筒先端部がずれて当接した場合、ガイド部が機能しなくなり、逆に係合部に強い負荷がかかってしまう可能性がある。
【課題を解決するための手段】
【０００８】
上記課題を解決するために、請求項１に記載の撮像装置は、非撮影時の沈胴位置から撮影時の撮影位置まで繰り出される撮影レンズ鏡筒と、レンズ鏡筒が沈胴位置にあるときに上記レンズ鏡筒が収納される鏡筒収納部を具備する撮像装置であって、レンズ及び、レンズ鏡筒を保護するためのレンズキャップは、上記レンズ鏡筒に光軸方向に移動可能に保持されていることを特徴としているものである。
【０００９】
また、請求項２では非撮影時の沈胴位置から撮影時の撮影位置まで繰り出される撮影レンズ鏡筒と、レンズ鏡筒が沈胴位置にあるときに上記レンズ鏡筒が収納される鏡筒収納部と、上記レンズ鏡筒の先端に装着されるレンズキャップを有する撮像装置であって、上記レンズ鏡筒が沈胴位置の状態では光軸方向において鏡筒収納部の先端とレンズキャップが当接するように構成されたことを特徴としているものである。
【００１０】
また、請求項３では上記レンズ鏡筒の先端に装着されるレンズキャップを有する撮像装置であって、レンズ鏡筒先端部に装着されたレンズキャップは、上記レンズ鏡筒が沈胴位置の状態では鏡筒収納部の先端と当接するためのつば形状を具備していることを特徴としているものである。
【００１１】
また、請求項４において、上記レンズキャップはレンズ鏡筒光軸中心方向に向かって付勢する付勢手段を具備していることを特徴とする請求項１〜請求項３のいずれかに記載の撮像装置である。
【００１２】
また、請求項５ではレンズ鏡筒の先端に装着されるレンズキャップを有する撮像装置であって、レンズ鏡筒先端部に装着されたレンズキャップは、上記レンズ鏡筒が沈胴位置の状態では鏡筒収納部の先端とレンズキャップのつば形状部が当接し、レンズ繰り出し位置の状態では光軸方向のカメラ本体側に上記レンズキャップがレンズ鏡筒先端面とレンズキャップの光軸に垂直な面とが当接するまで、移動可能するように構成されたことを特徴とする請求項１〜請求項４のいずれかに記載の撮像装置である。
【発明の効果】
【００１３】
以上、説明したように、本発明では、撮影時にレンズキャップを取り外すことを忘れた場合でも、レンズ鏡筒収納部から繰り出されたレンズ鏡筒がレンズキャップに当たってしまうことが発生することがなく、レンズ鏡筒が沈胴状態ではレンズ鏡筒収納先端部とレンズキャップが当接しているため、光軸方向の外力がレンズ鏡筒に及ぶことはなく、確実にレンズ鏡筒を保護することできる。
【発明を実施するための最良の形態】
【００１４】
次に、本発明の詳細を実施例の記述に従って説明する。
【００１５】
以下に、本発明の実施の形態を、下記実施例に基づき、図面を参照して詳細に説明する。図１においては本発明の実施に係るデジタルカメラの外観図を示す斜視図である。また、図２においては本発明に係るデジタルカメラの要部を示す断面図である。
【００１６】
図１において、デジタルカメラ本体７にレンズキャップ８が装着されている状態である。デジタルカメラ本体７は電源ボタン１、モードダイヤル２．ポップアップストロボ部３、ファインダー部４、レリーズボタン、ズームレバー部５、カメラグリップ部６および、レンズ鏡筒収納部９などで構成される。同図では、レンズ鏡筒収納部９にレンズ鏡筒が収納され、レンズキャップ８が装着されている状態である。
【００１７】
図２において、レンズ鏡筒１１は先端１４が凹形状になっており、レンズキャップ８にはレンズ鏡筒収納部９と当接するためのつば形状１０及び、凹形状１４に差し込まれるガイド部１３が設けられている。図３において、レンズキャップを保持するためのレンズ鏡筒中心方向に向かって付勢する付勢手段１２を備えている。レンズキャップ８はその付勢手段１２でレンズ鏡筒にレンズ鏡筒中心方向で固定される。また、レンズ鏡筒繰り出し方向においては、レンズキャップのつば形状部１０において、レンズキャップ８とレンズ鏡筒収納部９が当接している状態である。また、このとき、レンズ鏡筒１１とレンズキャップ８はレンズ繰り出し方向においてはスペース１５部を設けており、当接していない状態である。このため、レンズキャップ８を装着した状態においてはレンズ繰り出し方向からの外力はレンズ鏡筒収納部９がレンズキャップ８を介して受けることになり、レンズ鏡筒には外力が及ぶことがなく、確実にレンズ鏡筒を保護することができる。また、図３において、部品点数の削減、コスト面から本発明ではレンズ鏡筒凹形状部１４とレンズキャップガイド部１３の間に、弾性部材１２を張ることで、レンズ鏡筒中心方向に向かって付勢する力を得ることを想定しているが、従来例に示すように、別部材を用いて、係合部としても構わない。
【００１８】
図４および、図５は、レンズキャップ８を装着したまま、電源ボタン１を押し、レンズ鏡筒１１が繰り出した状態である。図４はレンズ鏡筒が繰り出し時に、レンズキャップが移動せず、そのまま、レンズ鏡筒が繰り出した状態を示した図である。また、図５はレンズ鏡筒が繰り出し時に、レンズキャップが移動し、レンズ鏡筒と当接した状態を示した図である。レンズ鏡筒１１が繰り出すとき、レンズ鏡筒先端部（ｂ）１７はレンズキャップ８とレンズ鏡筒繰り出し方向において係合しておらず、図４においては、レンズキャップとレンズ鏡筒の保持部の付勢力の影響で、そのまま、レンズ鏡筒とレンズキャップが繰り出し位置まで移動しており、レンズ鏡筒先端部（ａ）1６、レンズ鏡筒先端部（ｂ）１７でレンズキャップとスペースが設けられている。そのため、図４、図５のどちらにおいても、レンズキャップ係合部、及び、レンズ鏡筒に負荷がかかることがなく、レンズキャップ係合部の破損、またレンズ鏡筒内部の歯車などが破損し、カメラ自体が使用不能になるなどは発生しない。
【００１９】
なお、本発明は上記の実施例の形態に限定されるものではなく、ズームレンズ鏡筒を搭載したデジタルカメラに限らず、沈胴式の短焦点レンズ鏡筒を搭載したデジタルカメラでもよい。
【図面の簡単な説明】
【００２０】
【図１】本発明の実施の形態に係るデジタルカメラの斜視図である。
【図２】本発明の実施の形態に係るレンズ鏡筒収納部、レンズ鏡筒部及び、レンズキャップの断面図であり、レンズ鏡筒が収納され、レンズキャップを装着している状態の断面図である。
【図３】図２のレンズキャップ保持部の詳細図である。
【図４】同上のレンズキャップ装着したままでのレンズ鏡筒繰り出し状態の断面図である。
【図５】同上のレンズキャップ装着したままでのレンズ鏡筒繰り出し状態の断面図であるが、レンズキャップが移動し、レンズ鏡筒と当接して、繰り出した状態である。
【符号の説明】
【００２１】
７  デジタルカメラ本体
８  レンズキャップ本体
９  レンズ鏡筒収納部
１０  レンズキャップとレンズ鏡筒収納部の当接部
１１  レンズ鏡筒部
１２  弾性部材
１３  レンズキャップガイド部
１４  レンズ鏡筒凹形状部
１５  レンズキャップとレンズ鏡筒スペース部
１６  レンズ鏡筒先端部(a)
１７  レンズ鏡筒先端部(b)
１８  レンズキャップが移動したときにレンズ鏡筒と当接する部
【図１】
2009282392.tif 000003
【図２】
2009282392.tif 000004
【図３】
2009282392.tif 000005
【図４】
2009282392.tif 000006
【図５】
2009282392.tif 000007